(57)【要約】【課題】表示画面上にタッチパネルが配設された入力インターフェースにおいて、表示画面を注視することなく、所望の操作を行うことができる。【解決手段】コンテンツ再生装置１は、タッチパネルに対する接触を検知すると、検知した接触位置を中心に、複数のメニュー項目を放射状に配置した放射状メニューを表示するメニュー表示手段と、タッチパネルに対する接触開始位置から現在の接触位置までの接触しながらの移動方向を検知する第１の移動方向検出手段と、第１の移動方向検出手段が検出した移動方向に、放射状メニューを伸長させて表示するメニュー表示更新手段と、接触開始位置から、タッチパネルに対する接触が解除された接触解除位置までの移動方向を検出する第２の移動方向検出手段と、第２の移動方向検出手段が検出した移動方向に割り当てられたメニュー項目を選択し、実行するメニュー項目実行手段と、を備えている。【選択図】図１
2011013990.tif 000002
【特許請求の範囲】
【請求項１】
タッチパネルを備えた表示部を備え、前記タッチパネルを介した入力指示に従ってコンテンツを再生するコンテンツ再生装置であって 、
前記タッチパネルに対する接触開始を検知すると、検知した接触開始位置を中心に、コンテンツ再生に関する複数のメニュー項目を放射状に配置した放射状メニューを表示するメニュー表示手段と、
前記接触開始位置から現在の接触位置までの接触しながらの移動方向を検知する第１の移動方向検出手段と、
前記第１の移動方向検出手段が検出した移動方向に、前記放射状メニューを伸長させて表示するメニュー表示更新手段と、
前記接触開始位置から、前記タッチパネルに対する接触解除が検知された接触解除位置までの移動方向を検出する第２の移動方向検出手段と、
前記複数のメニュー項目の中から、前記第２の移動方向検出手段が検出した移動方向に割り当てられたメニュー項目を選択し、実行するメニュー項目実行手段と、
を備えることを特徴とするコンテンツ再生装置。
【請求項２】
前記表示部に表示される表示画面は、コンテンツの再生に関する操作ボタンが表示されるボタン領域を含んで構成され、
前記メニュー表示手段は、
前記ボタン領域以外の領域に対する接触開始を検知した場合に、前記放射状メニューを表示することを特徴とする請求項１記載のコンテンツ再生装置。
【請求項３】
前記放射状メニューは、４つの方向に前記複数のメニュー項目のそれぞれが配置された四角形の放射状メニューであり、前記複数のメニュー項目のそれぞれを、前記四角形の頂点の外側に表示するとともに、１つのメニュー項目を、前記接触開始位置に表示することを特徴とする請求項１又は２記載のコンテンツ再生装置。
【請求項４】
前記第１の移動方向検出手段及び前記第２の移動方向検出手段は、
検知した移動方向を、前記４つの方向のうちの最近接な一方向とし、
前記メニュー表示更新手段は、
前記第１の移動方向検出手段が前記移動方向を検出した場合には、前記最近接な一方向の頂点を伸長させて表示し、
前記メニュー項目実行手段は、
前記第２の移動方向検出手段が前記移動方向を検出した場合には、前記最近接な一方向に配置されたメニュー項目を選択し、実行することを特徴とする請求項３記載のコンテンツ再生装置。
【請求項５】
前記メニュー項目実行手段は、
前記第２の移動方向検出手段が前記移動方向を検出しない場合には、前記前記接触開始位置に表示されたメニュー項目を選択し、実行することを特徴とする請求項４記載のコンテンツ再生装置。
【請求項６】
前記メニュー表示更新手段は、
前記第１の移動方向検出手段が前記移動方向を検出した場合には、前記最近接な一方向に配置されたメニュー項目の色を変更し、前記第１の移動方向検出手段が前記移動方向を検出しない場合には、前記前記接触開始位置に表示されたメニュー項目の色を変更することを特徴とする請求項５記載のコンテンツ再生装置。
【発明の詳細な説明】
【技術分野】
【０００１】
本発明は、タッチパネルを入力インターフェースとして用いたコンテンツ再生装置に関し、特に車載機器に好適に適用できる。
【背景技術】
【０００２】
昨今の車載機器（カーステレオやカーナビゲーションシステムなど）では、ディスプレイ上にタッチパネルの入力インターフェースを備えるのが一般的になってきている。例えば、ディスプレイ上に複数の操作ボタンが表示される場合には、ユーザは、所望の操作に対応した操作ボタンに触れることにより、車載機器に対して操作指示を与えることができる。
【発明の概要】
【発明が解決しようとする課題】
【０００３】
しかしながら、ユーザが自動車を運転中に、このようなタッチパネルを備えた車載機器に操作指示を与えるには、視線を前方からディスプレイ上に移して、ディスプレイに表示された操作ボタンの位置に注視しなければならならないので、安全性を損なうおそれがあり、好ましくない。
【０００４】
本発明は、上記の事情を鑑みてなされたものであり、その課題の一例としては、表示画面上にタッチパネルが配設された入力インターフェースにおいて、表示画面を注視することなく、所望の操作を行うことができるコンテンツ再生装置を提供することにある。
【課題を解決するための手段】
【０００５】
上記の課題を達成するため、本発明の一態様は、タッチパネルを備えた表示部を備え、前記タッチパネルを介した入力指示に従ってコンテンツを再生するコンテンツ再生装置であって 、前記タッチパネルに対する接触開始を検知すると、検知した接触開始位置を中心に、コンテンツ再生に関する複数のメニュー項目を放射状に配置した放射状メニューを表示するメニュー表示手段と、前記接触開始位置から現在の接触位置までの接触しながらの移動方向を検知する第１の移動方向検出手段と、前記第１の移動方向検出手段が検出した移動方向に、前記放射状メニューを伸長させて表示するメニュー表示更新手段と、前記接触開始位置から、前記タッチパネルに対する接触解除が検知された接触解除位置までの移動方向を検出する第２の移動方向検出手段と、前記複数のメニュー項目の中から、前記第２の移動方向検出手段が検出した移動方向に割り当てられたメニュー項目を選択し、実行するメニュー項目実行手段と、を備える。
【図面の簡単な説明】
【０００６】
【図１】本発明の実施の形態に係るコンテンツ再生装置の概略構成図である。
【図２】本発明の実施の形態に係るコンテンツ再生装置の音楽再生に関する操作処理の流れを示すフローチャートである。
【図３】図２のステップＳ６０のガイドメニュー表示更新処理の流れを詳しく示すフローチャートである。
【図４】図２のステップＳ９０の選択操作実行処理の流れを詳しく示すフローチャートである。
【図５】図３のステップＳ１３０の角度計算処理の流れを詳しく示すフローチャートである。
【図６】図４のステップＳ４２０の角度計算処理の流れを詳しく示すフローチャートである。
【図７】本発明の実施の形態に係るコンテンツ再生装置の表示画面例を示す図である。
【図８】本発明の実施の形態に係るコンテンツ再生装置の表示画面例を示す図である。
【図９】本発明の実施の形態に係るコンテンツ再生装置の表示画面例を示す図である。
【図１０】本発明の実施の形態に係るコンテンツ再生装置の表示画面例を示す図である。
【図１１】本発明の実施の形態に係るコンテンツ再生装置が表示する初期状態のガイドメニューの表示態様を示す図である。
【図１２】本発明の実施の形態に係るコンテンツ再生装置の角度計算処理を説明するための図である。
【図１３】本発明の実施の形態に係るコンテンツ再生装置が表示する各状態のガイドメニューの表示態様を示す図である。
【発明を実施するための形態】
【０００７】
以下、本発明の実施の形態を図面を用いて説明する。
【０００８】
図１は、本発明の実施の形態に係るコンテンツ再生装置１の概略構成図である。コンテンツ再生装置１は、自動車などの車両に搭載される車両機器であり、音楽コンテンツを再生する装置である。コンテンツ再生装置１は、図１に示すように、概略、表示部２、入力部３、コンテンツ再生部４、スピーカ５、及び制御部６を備えている。
【０００９】
表示部２は、具体的には、カラー液晶表示装置（ＬＣＤ）等のディスプレイから構成される出力インターフェースである。本実施の形態においては、再生する音楽に関する情報、操作メニューなどを表示部２の表示画面上に表示する。
【００１０】
入力部３は、具体的には、表示部２の表示画面上に配置されたタッチパネル３１から構成され、表示部２に表示された操作情報（操作メニュー、操作ボタンなど）に触れることにより情報入力が可能な入力インターフェースである。すなわち、本実施の形態においては、ユーザはこのタッチパネルを介した情報入力を行うことにより、コンテンツ再生装置１に指示を与えるようになっている。詳しくは、入力部３は、ユーザが触れた表示画面（タッチパネル３１）上の位置を検出し、検出した位置情報を後述する制御部６に出力するようになっている。
【００１１】
コンテンツ再生部４は、具体的には、オーディオ再生装置（ＣＤプレーヤ、ＨＤＤプレーヤなど）から構成され、音楽コンテンツを再生するようになっている。
【００１２】
スピーカ５は、コンテンツ再生部４にて再生されたコンテンツの音声を出力するようになっている。
【００１３】
制御部６は、具体的には、ＣＰＵ、ＲＯＭ、ＲＡＭなどから構成され、コンテンツ再生装置１全体の制御を行っている。詳しくは、制御部６は、操作内容判断部６１、表示制御部６２、及びコンテンツ再生制御部６３を具備する構成である。
【００１４】
操作内容判断部６１は、入力部３から出力される位置情報に基づいて、ユーザの触れた位置がボタン領域かそれ以外の領域かを判断し、判断した領域に応じて、操作内容を判断するようになっている。具体的には、操作内容判断部６１は、ユーザの触れた位置がボタン領域である場合には、操作ボタンの操作を認識し、また、ユーザの触れた位置がボタン領域以外の領域の場合には、ガイドメニュー表示の操作を認識する。本実施の形態においては、詳しくは後述するが、ユーザがボタン領域以外の領域に触れた場合には、ガイドメニューを表示することを特徴としている。
【００１５】
表示制御部６２は、表示部２に対する表示制御を行う。具体的には、操作内容判断部６１によりガイドメニュー表示の操作が認識された場合には、表示制御部６２は、ユーザが触れた接触開始位置（ユーザの指等が表示画面に最初に接触した位置。タッチ開始位置ともいう）を中心にガイドメニューを表示するようになっている。また、その後のユーザのスライド操作（表示画面に接触しつつ表示画面上を移動する操作）に応じて、ガイドメニューを変形表示させるガイドメニュー表示更新処理を行うようになっている。ガイドメニューの表示態様、及びガイドメニュー表示更新処理に関しては、詳しくは後述する。
【００１６】
コンテンツ再生制御部６３は、操作内容判断部６１により判断された操作内容に基づいて、コンテンツ再生部４を制御するようになっている。具体的には、操作ボタンが操作された場合には、操作ボタンに割り当てられた機能を実行するようになっている。また、ガイドメニュー表示の操作がされた場合には、ユーザの接触解除位置（接触していたユーザの指等が表示画面から離れた位置。リリース位置ともいう）に基づいて、表示されたガイドメニューの複数のメニュー項目の中からいずれかのメニュー項目を選択し、選択したメニュー項目を実行するようになっている。例えば、ガイドメニューの中から「再生」が選択されれば、現在選択されている音楽を再生し、また、「次の曲を再生」が選択されれば、次の音楽を再生する。
【００１７】
次に、図２〜図１３を用いて、本実施の形態に係るコンテンツ再生装置１の音楽再生に関する操作処理について説明する。ここで、図２は、音楽再生に関する操作処理の流れを示すフローチャートであり、図３は、図２のステップＳ６０のガイドメニュー表示更新処理の流れを詳しく示すフローチャート、図４は、図２のステップＳ９０の選択操作実行処理の流れを詳しく示すフローチャートである。また、図５は、図３のステップＳ１３０の角度計算処理の流れを詳しく示すフローチャート、図６は、図４のステップＳ４２０の角度計算処理の流れを詳しく示すフローチャートである。また、図７〜図１０は、表示部２に表示される表示画面例を示している。また、図１１は、初期状態のガイドメニューの表示態様を示し、図１２は、スライド角度を説明するための図、図１３は、状態Ａ〜Ｄにおけるガイドメニューの表示態様を示す図である。
【００１８】
まず、図２を用いて、コンテンツ再生装置１の音楽再生に関する操作処理について説明する。
【００１９】
コンテンツ再生装置１は、表示部２に音楽再生画面ｄ１０を表示している状態において、タッチパネル３１に対する入力があるか否かを判定する（ステップＳ１０）。
【００２０】
図７に音楽再生画面ｄ１０の画面例を示す。音楽再生画面ｄ１０は、音楽を再生するときの表示画面であり、図７に示すように、スピーカ画像１１Ｌ及び１１Ｒ及び音楽ソース画像１２を表示するとともに、再生している音楽の属性情報（例えば、楽曲名、アーチスト名など）１３及び時間情報（経過時間や再生されている楽曲全体の再生時間）１４を表示する。図７に示す画面例においては、音楽ソースは外部入力の再生装置（例えば、ＡＵＸ端子に接続された携帯音楽プレーヤなど）であることを示している。また、音楽再生画面ｄ１０の左上端には、音楽ソースを変更する音楽ソース変更ボタンＳ１（「Source Change」と表記されている）、音楽再生画面ｄ１０の右上端には、音楽再生に関する設定（例えば、音量、左右バランス、音質など）を変更する設定ボタンＳ２（「Setting」と表記されている）がそれぞれ表示されている。また、初期画面ｄ１０の中央下方には、再生している音楽の経過時間を示すプログレスバーＳ３が表示されている。本実施の形態においては、音楽ソース変更ボタンＳ１、設定ボタンＳ２、及びプログレスバーＳ３をボタン領域と称し、音楽再生画面ｄ１０のその他の領域Ｓ４とは区別する。
【００２１】
タッチパネル３１に対する入力を検知した場合には（ステップＳ１０：ＹＥＳ）、コンテンツ再生装置１は、ユーザがタッチパネル３１に触れたタッチ開始位置を取得する（ステップＳ２０）。なお、タッチパネル３１に対する入力検知がない場合には（ステップＳ１０：ＮＯ）、ステップＳ１０を繰り返す。
【００２２】
次に、コンテンツ再生装置１は、タッチ開始位置がボタン領域であるか否かを判定する（ステップＳ３０）。タッチ開始位置がボタン領域である場合には（ステップＳ３０：ＹＥＳ）、コンテンツ再生装置１は、選択されたボタンの機能を実行する（ステップＳ４０）。例えば、ユーザが音楽ソース変更ボタンＳ１に触れて、音楽ソース変更ボタンＳ１が操作された場合には、音楽ソースの変更処理を行い、ユーザがプログレスバーＳ３に触れて、再生地点を示すメータの位置が変更された場合には、変更された再生地点まで楽曲の早送り又は早戻しを行う。
【００２３】
一方、タッチ開始位置がボタン領域でない場合（ステップＳ３０：ＮＯ）、すなわち、タッチ開始位置がその他領域Ｓ４である場合には、コンテンツ再生装置１は、タッチ開始位置を中心に、初期状態のガイドメニュー１５を表示する（ステップＳ５０）。
【００２４】
図１１に初期状態のガイドメニュー１５の表示態様を示す。ガイドメニュー１５は、複数のメニュー項目を放射状に配置した放射状メニューであり、本実施の形態においては、中心部及び四方向それぞれにメニュー項目を設けている。具体的には、初期状態においては、中心から四方向それぞれの長さが同一な正方形を表示しつつ、その中心部には一時停止を示す「PAUSE」、右頂点の外側には次の楽曲の再生を示す「Next」、左頂点の外側には、前の楽曲の再生を示す「Prev」、上頂点の外側には、楽曲リストの表示を示す「List」、下頂点の外側には、ランダム再生を示す「Random」が表示されている。なお、初期状態においては、「PAUSE」の文字は、他のメニュー項目よりも目立つように、赤く表示されている。
【００２５】
図８は、ユーザが、音楽ソース画像１２とスピーカ画像１１Ｒの間のその他領域Ｓ４に触れた場合の音楽再生画面ｄ１０の画面例を示している。この場合には、ユーザの指が触れた位置Ｐ１に「Pause」が配置されたガイドメニュー１５が表示される。また、図９は、ユーザが、音楽ソース画像１２とスピーカ画像１１Ｌの間のその他領域Ｓ４に触れた場合の音楽再生画面ｄ１０の画面例を示している。この場合には、ユーザの指が触れた位置Ｐ２に「Pause」が配置されたガイドメニュー１５が表示される。このように本実施の形態においては、音楽再生画面ｄ１０のその他領域Ｓ４を触れるだけで、ガイドメニュー１５を表示することができるので、ユーザは表示部２の表示画面を注視することなく、ガイドメニュー１５を表示させることができる。
【００２６】
次に、コンテンツ再生装置１は、ガイドメニュー表示更新処理を行う（ステップＳ６０）。ガイドメニュー表示更新処理は、ユーザのスライド操作に応じて、ガイドメニュー１５を変形表示する処理である。図３を用いて、ガイドメニュー表示更新処理を詳しく説明する。
【００２７】
まず、コンテンツ再生装置１は、スライド距離を計算する（ステップＳ１１０）。ここで、スライド距離とは、ユーザが表示部２の表示画面に最初に接触した接触開始位置から現在の接触位置（現在のタッチ位置ともいう）までの移動距離（接触しながら移動した距離）をいう。
【００２８】
次に、コンテンツ再生装置１は、計算したスライド距離が閾値よりも大きいか否かを判定する（ステップＳ１２０）。ここで、閾値は、ユーザが表示画面に接触したときのブレ程度の距離を意味する。本実施の形態では、ユーザは車両内にいることから、多少のブレが生じ得ることを考慮して、表示部２の表示画面に触れた際の多少のブレは、スライド操作ではないことを明確にするものである。
【００２９】
計算したスライド距離が閾値より大きい場合には（ステップＳ１２０：ＹＥＳ）、スライド操作がされたと判断して、コンテンツ再生装置１は、角度計算処理を行う（ステップＳ１３０）。角度計算処理では、図５に示すように、現在のタッチ位置を取得し（ステップＳ３１０）、タッチ開始位置から現在のタッチ位置までのスライド角度を計算する（ステップＳ３２０）。
【００３０】
ここで、図１２を用いて、スライド角度について説明する。本実施の形態におけるスライド角度とは、タッチ開始位置（図１２では、原点Ｏをタッチ開始位置とする）から現在のタッチ位置までのスライド操作の方向（スライド操作方向ともいう）と、図１２に示すＸ軸の正の方向とのなす角度をいう（反時計回りが正の角度）。本実施の形態においては、コンテンツ再生装置１は、スライド角度を計算することにより、スライド操作方向を、上下左右の４方向のうちのいずれか一方向に対応付けている。すなわち、スライド操作方向を、上下左右の方向のうち最近接な一方向に置き換えている。
【００３１】
図３に戻り、計算したスライド角度が−４５°より大きく、かつ４５°以下の場合には（ステップＳ１４０：ＹＥＳ）、コンテンツ再生装置１は、状態Ａのガイドメニュー１５Ａを表示する（ステップＳ１５０）。詳しくは、スライド操作方向が、図１２に示すように、領域Ａ１に含まれる場合には、全体として右方向にスライド操作されているので、図１３（ａ）に示すように、初期状態に比べて右方向に伸長したガイドメニュー１５Ａが音楽再生画面ｄ１０上に表示される。すなわち、ユーザの指等が表示部２のその他領域Ｓ４に触れて初期状態のガイドメニュー１５を表示した状態において、表示画面に触れつつ右方向（正確には、図１２に示すように、原点Ｏを起点として領域Ａ１に含まれる方向）に指等をスライド操作させた場合には、スライド操作の方向に合わせて、右方向に伸長したガイドメニュー１５Ａが表示されることとなる。なお、状態Ａのガイドメニュー１５Ａにおいては、右方向のスライド操作を強調するため、メニュー項目「Next」の文字は、他のメニュー項目の色と異なり、赤く表示される。
【００３２】
図１０に、ユーザが、音楽ソース画像１２とスピーカ画像１１Ｌの間のその他領域Ｓ４に触れた場合において、右方向にスライド操作したときの音楽再生画面ｄ１０の画面例を示している。この場合には、ユーザの指が最初に触れた位置Ｐ３に「Pause」が配置された初期状態のガイドメニュー１５が表示された後、スライド操作に合わせて右方向に伸長したガイドメニュー１５Ａが表示される。
【００３３】
同様にして、計算したスライド角度が４５°より大きく、かつ１３５°以下の場合には（ステップＳ１４０：ＮＯ、ステップＳ１６０：ＹＥＳ）、コンテンツ再生装置１は、状態Ｂのガイドメニュー１５Ｂを表示する（ステップＳ１７０）。詳しくは、スライド操作方向が、図１２に示すように、領域Ａ２に含まれる場合には、全体として上方向にスライド操作されているので、図１３（ｂ）に示すように、初期状態に比べて上方向に伸長したガイドメニュー１５Ｂが音楽再生画面ｄ１０上に表示される。すなわち、ユーザの指等が表示部２のその他領域Ｓ４に触れて初期状態のガイドメニュー１５を表示した状態において、表示画面に触れつつ上方向（正確には、図１２に示すように、原点Ｏを起点として領域Ａ２に含まれる方向）に指等をスライド操作させた場合には、スライド操作の方向に合わせて、上方向に伸長したガイドメニュー１５Ｂが表示されることとなる。なお、状態Ｂのガイドメニュー１５Ｂにおいては、上方向のスライド操作を強調するため、メニュー項目「List」の文字は、他のメニュー項目の色と異なり、赤く表示される。
【００３４】
また、計算したスライド角度が１３５°より大きく、かつ２２５°以下の場合には（ステップＳ１６０：ＮＯ、ステップＳ１８０：ＹＥＳ）、コンテンツ再生装置１は、状態Ｃのガイドメニュー１５Ｃを表示する（ステップＳ１９０）。詳しくは、スライド操作方向が、図１２に示すように、領域Ａ３に含まれる場合には、全体として左方向にスライド操作されているので、図１３（ｃ）に示すように、初期状態に比べて左方向に伸長したガイドメニュー１５Ｃが音楽再生画面ｄ１０上に表示される。すなわち、ユーザの指等が表示部２のその他領域Ｓ４に触れて初期状態のガイドメニュー１５を表示した状態において、表示画面に触れつつ左方向（正確には、図１２に示すように、原点Ｏを起点として領域Ａ３に含まれる方向）に指等をスライド操作させた場合には、スライド操作の方向に合わせて、左方向に伸長したガイドメニュー１５Ｃが表示されることとなる。なお、状態Ｃのガイドメニュー１５Ｃにおいては、左方向のスライド操作を強調するため、メニュー項目「Prev」の文字は、他のメニュー項目の色と異なり、赤く表示される。
【００３５】
また、計算したスライド角度が２２５°より大きく、かつ３１５°（＝−４５°）以下の場合には（ステップＳ１８０：ＮＯ）、コンテンツ再生装置１は、状態Ｄのガイドメニュー１５Ｄを表示する（ステップＳ２００）。詳しくは、スライド操作方向が、図１２に示すように、領域Ａ４に含まれる場合には、全体として下方向にスライド操作されているので、図１３（ｄ）に示すように、初期状態に比べて下方向に伸長したガイドメニュー１５Ｄが音楽再生画面ｄ１０上に表示される。すなわち、ユーザの指等が表示部２のその他領域Ｓ４に触れて初期状態のガイドメニュー１５を表示した状態において、表示画面に触れつつ下方向（正確には、図１２に示すように、原点Ｏを起点として領域Ａ４に含まれる方向）に指等をスライド操作させた場合には、スライド操作の方向に合わせて、下方向に伸長したガイドメニュー１５Ｄが表示されることとなる。なお、状態Ｄのガイドメニュー１５Ｄにおいては、下方向のスライド操作を強調するため、メニュー項目「Random」の文字は、他のメニュー項目の色と異なり、赤く表示される。
【００３６】
なお、上述したガイドメニュー１５Ａ、Ｂ、Ｃ及びＤの中心位置（Pauseが表示されている位置）は、初期状態のガイドメニュー１５の中心位置と変わらない。また、上述したガイドメニュー１５Ａ、Ｂ、Ｃ及びＤにおいては、伸長した１方向を強調するため、その他の３方向の長さを若干縮小して表示している。
【００３７】
また、上述したガイドメニュー１５Ａ、Ｂ、Ｃ及びＤにおいては、伸長した方向のメニュー項目（例えば、ガイドメニュー１５Ａでは、「Next」の文字）は、伸長した四角形の外側に表示されるので、スライド操作をしても、伸長した方向のメニュー項目が指等に隠れて見えなくなることはない。
【００３８】
一方、計算したスライド距離が閾値以下の場合には（ステップＳ１２０：ＮＯ）、コンテンツ再生装置１は、スライド操作はないと判断して、初期状態のガイドメニュー１５を表示する（ステップＳ２１０）。
【００３９】
図２に戻り、次に、コンテンツ再生装置１は、タッチパネル３１においてリリース操作があるか否かを判定する（ステップＳ７０）。ここで、リリース操作とは、表示画面（タッチパネル３１）に接触していたユーザの指等が表示画面から離れる操作を意味する。リリース操作を検知した場合には（ステップＳ７０：ＹＥＳ）、コンテンツ再生装置１は、ユーザがタッチパネル３１から離れたリリース位置を取得する（ステップＳ８０）。なお、リリース操作の検知がない場合には（ステップＳ７０：ＮＯ）、ステップＳ６０に戻り、ガイドメニュー表示更新処理を行う。
【００４０】
次に、コンテンツ再生装置１は、選択メニュー実行処理を行う（ステップＳ９０）。選択メニュー実行処理は、ガイドメニュー１５（１５Ａ、１５Ｂ、１５Ｃ、１５Ｄを含む）の中から、取得したリリース位置に基づいて選択されたメニュー項目を実行する処理である。図４を用いて、選択メニュー実行処理について詳しく説明する。
【００４１】
まず、コンテンツ再生装置１は、タッチ開始位置からリリース位置までの距離を計算し、計算した距離が閾値よりも大きいか否かを判定する（ステップＳ４１０）。ここで、閾値は、図３のステップＳ１２０で述べた閾値と同一の閾値である。
【００４２】
計算した距離が閾値よりも大きい場合には（ステップＳ４１０：ＹＥＳ）、スライド操作の後、リリース操作がされたので、コンテンツ再生装置１は、角度計算処理を行う（ステップＳ４２０）。角度計算処理を行うのは、四方に配置されたメニュー項目（Next、List、Prev、Random）のうち、いずれのメニュー項目が選択されたかを判断するためである。角度計算処理では、図６に示すように、タッチ開始位置からリリース位置までのスライド角度（リリース時の角度ともいう）を計算する（ステップＳ６１０）。本実施の形態においては、コンテンツ再生装置１は、リリース時の角度を計算することにより、タッチ開始位置からリリース位置までの方向（リリース操作方向ともいう）が４方向のうちのいずれかであるかを把握するようになっている。
【００４３】
図４に戻り、計算したリリース時の角度が−４５°より大きく、かつ４５°以下の場合には（ステップＳ４３０：ＹＥＳ）、コンテンツ再生装置１は、メニュー項目「Next」が選択されたと判断し、次の曲を再生する（ステップＳ４４０）。すなわち、リリース操作方向が、図１２に示す領域Ａ１に含まれる場合には、ガイドメニュー１５Ａが表示された状態でリリース操作されるので、伸長されたメニュー項目「Next」が選択され、次の曲が再生されることとなる。
【００４４】
このように本実施の形態においては、表示画面のその他領域Ｓ４に触れ、右方向にスライド操作させた後、リリース操作をすることにより、メニュー項目「Next」を実行することができるので、メニュー項目「Next」の操作方向を把握していれば、表示部２の表示画面を注視することなく、簡単にメニュー項目「Next」を実行することが可能である。
【００４５】
また、計算したリリース時の角度が４５°より大きく、かつ１３５°以下の場合には（ステップＳ４３０：ＮＯ、ステップＳ４５０：ＹＥＳ）、コンテンツ再生装置１は、メニュー項目「List」が選択されたと判断し、楽曲リストを表示する（ステップＳ４６０）。すなわち、リリース操作方向が、図１２に示す領域Ａ２に含まれる場合には、ガイドメニュー１５Ｂが表示された状態でリリース操作されるので、伸長されたメニュー項目「List」が選択され、楽曲リストが表示されることとなる。
【００４６】
このように本実施の形態においては、表示画面のその他領域Ｓ４に触れ、上方向にスライド操作させた後、リリース操作をすることにより、メニュー項目「List」を実行することができるので、メニュー項目「List」の操作方向を把握していれば、表示部２の表示画面を注視することなく、簡単にメニュー項目「List」を実行することが可能である。
【００４７】
また、計算したリリース時の角度が１３５°より大きく、かつ２２５°以下の場合には（ステップＳ４５０：ＮＯ、ステップＳ４７０：ＹＥＳ）、メニュー項目「Prev」が選択されたと判断し、コンテンツ再生装置１は、前の曲を再生する（ステップＳ４８０）。すなわち、リリース操作方向が、図１２に示す領域Ａ３に含まれる場合には、ガイドメニュー１５Ｃが表示された状態でリリース操作されるので、伸長されたメニュー項目「Prev」が選択され、前の曲が再生されることとなる。
【００４８】
このように本実施の形態においては、表示画面のその他領域Ｓ４に触れ、左方向にスライド操作させた後、リリース操作をすることにより、メニュー項目「Prev」を実行することができるので、メニュー項目「Prev」の操作方向を把握していれば、表示部２の表示画面を注視することなく、簡単にメニュー項目「Prev」を実行することが可能である。
【００４９】
また、計算したリリース時の角度が２２５°より大きく、かつ３１５°（＝−４５°）以下の場合には（ステップＳ４７０：ＮＯ）、メニュー項目「Random」が選択されたと判断し、コンテンツ再生装置１は、ランダムモードで楽曲を再生する（ステップＳ４９０）。すなわち、リリース操作方向が、図１２に示す領域Ａ４に含まれる場合には、ガイドメニュー１５Ｄが表示された状態でリリース操作されるので、伸長されたメニュー項目「Random」が選択され、ランダムモードで楽曲が再生されることとなる。
【００５０】
このように本実施の形態においては、表示画面のその他領域Ｓ４に触れ、下方向にスライド操作させた後、リリース操作をすることにより、メニュー項目「Random」を実行することができるので、メニュー項目「Random」の操作方向を把握していれば、表示部２の表示画面を注視することなく、簡単にメニュー項目「Random」を実行することが可能である。
【００５１】
一方、計算した距離が閾値以下の場合には（ステップＳ４１０：ＮＯ）、コンテンツ再生装置１は、現在、楽曲を再生中であるか否かを判定する（ステップＳ５００）。計算した距離が閾値以下の場合には、スライド操作がなく、リリース操作がされたので、中心にあるメニュー項目が選択されることとなる。本実施の形態においては、中心に配置されたメニュー項目は、「Pause」機能と「Play」機能を備えたトグルボタンとなっているので、現在、再生中の場合には、中心メニュー項目に一時停止の機能が割り当てられるとともに「Pause」が表示され、現在、一時停止中の場合には、中心メニュー項目に再生の機能が割り当てられるとともに「Play」が表示される。
【００５２】
現在、楽曲を再生中である場合には（ステップＳ５００：ＹＥＳ）、メニュー項目「Pause」が選択されたので、コンテンツ再生装置１は、現在、再生している楽曲の再生を一時停止する（ステップＳ５１０）。一方、現在、楽曲を再生中でない場合には（ステップＳ５００：ＮＯ）、メニュー項目「Play」が選択されたので、コンテンツ再生装置１は、現在、一時停止している楽曲を再生する（ステップＳ５２０）。
【００５３】
以上、述べたように本実施の形態によれば、表示画面に触れて所定の方向にスライド操作した後、リリース操作することにより、所定の方向に対応付けられた操作を実行することができるので、表示画面上にタッチパネルが配設された入力インターフェースであっても、表示画面を注視することなく、所望の操作を行うことができる。
【００５４】
すなわち、本実施の形態においては、ボタン領域を除いた領域のどこに触れても、触れた位置を中心としたガイドメニューを表示するので、タッチパネル３１に手が届きさえすれば、従来のようにボタンやメニュー項目が表示される位置を気にする必要はない。また、ガイドメニューのメニュー項目には、ユーザが頻繁に利用するメニュー項目が含まれているので、本実施の形態においては、このようなユーザが頻繁に利用するメニュー項目を表示画面上に常時表示する必要がなく、表示画面をシンプルな構成とすることができる。また、ガイドメニューを表示した場合には、操作方向と選択されるメニュー項目は１対１に対応付けられているので、ユーザは、操作方向と操作内容の対応を覚えてしまえば、表示画面を注視することなく、また、スライドさせる距離を気にすることなく、所望の操作を行うことができる。
【００５５】
また、本実施の形態においては、ガイドメニューの形状をスライド操作方向に伸長させるとともに、スライド操作方向のメニュー項目の色を変えて表示するので、いずれの操作をしているかをユーザは視覚的に把握することができる。そして、ガイドメニューを伸長して表示しているときには、伸長した方向のメニュー項目は、伸長した方向の頂点の外側に表示されるので、タッチパネルインターフェースであっても、操作者の指等が伸長した方向のメニュー項目を隠すことはなく、選択しようとするメニュー項目を視認することができる。
【００５６】
なお、本実施の形態においては、タッチ開始位置がその他領域Ｓ４であれば、その後、スライド操作により指等がボタン領域に移動したとしても、ガイド表示更新処理が実行されることとなる。すなわち、本実施の形態においては、タッチ開始位置がその他領域Ｓ４であれば、ガイドメニュー表示及びガイドメニューのメニュー項目の実行が、ボタン機能の実行よりも優先される。
【００５７】
また、本実施の形態においては、コンテンツ再生装置１を、音楽コンテンツを再生するコンテンツ再生装置として説明したが、音楽コンテンツ以外のコンテンツを再生するコンテンツ再生装置としてもよい。すなわち、本実施の形態に係る操作処理を音楽コンテンツ以外のコンテンツを再生する際の操作処理に適用してもよい。例えば、映像コンテンツ（静止画、動画）を再生する際の操作処理に適用してもよく、車両に搭載されるカーナビゲーション装置の入力インターフェースにも好適に適用可能である。
【００５８】
また、本実施の形態においては、コンテンツ再生装置１を、車両に搭載されたコンテンツ再生装置としたが、必ずしも車両に搭載されなくてもよい。例えば、携行可能なコンテンツ再生装置であってもよく、この場合にも、表示画面を注視することなく、所望の操作を行うことができる。
【００５９】
なお、本実施の形態においては、４方向にメニュー項目を配置したガイドメニューとしたが、放射状メニューの方向は４方向に限定されるものではない。例えば、３方向にメニュー項目を配置した放射状メニューでもよいし、また、５以上の方向にメニュー項目を配置した放射状メニューでもよい。また、ガイドメニューのメニュー項目も上述したメニュー項目に限定されるものではない。コンテンツ再生に関するメニュー項目であればいずれのメニュー項目でもよい。
【００６０】
さらには、本実施の形態に係るコンテンツ再生装置１のコンテンツ再生に関する操作処理は、制御部６に格納されたコンピュータプログラムを実行することにより実現される。そして、このコンピュータプログラムは、ハードディスク、フレキシブルディスク、ＣＤ−ＲＯＭ、ＤＶＤ−ＲＯＭなどのコンピュータ読み取り可能な情報記録媒体に記録されることも、通信ネットワークを介して配信されることも可能である。
【００６１】
以上、本発明の実施の形態について説明してきたが、本発明は、上述した実施の形態に限られるものではなく、本発明の要旨を逸脱しない範囲において、本発明の実施の形態に対して種々の変形や変更を施すことができ、そのような変形や変更を伴うものもまた、本発明の技術的範囲に含まれるものである。
【符号の説明】
【００６２】
１  コンテンツ再生装置
２  表示部
３  入力部
４  コンテンツ再生部
５  スピーカ
６  制御部
３１  タッチパネル
６１  操作内容判断部
６２  表示制御部
６３  コンテンツ再生制御部
【図１】
2011013990.tif 000003
【図２】
2011013990.tif 000004
【図３】
2011013990.tif 000005
【図４】
2011013990.tif 000006
【図５】
2011013990.tif 000007
【図６】
2011013990.tif 000008
【図７】
2011013990.tif 000009
【図８】
2011013990.tif 000010
【図９】
2011013990.tif 000011
【図１０】
2011013990.tif 000012
【図１１】
2011013990.tif 000013
【図１２】
2011013990.tif 000014
【図１３】
2011013990.tif 000015